【手続補正書】
【提出日】平成23年11月15日(2011.11.15)
【手続補正１】
【補正対象書類名】明細書
【補正対象項目名】発明の名称
【補正方法】変更
【補正の内容】
【発明の名称】画像表示装置、プログラム、無線通信システム及び無線通信方法
【手続補正２】
【補正対象書類名】明細書
【補正対象項目名】０００１
【補正方法】変更
【補正の内容】
【０００１】
本発明は、例えば無線ＬＡＮやブルートゥースに代表される無線通信技術を用いてデータファイルを共有する画像表示装置、プログラム、無線通信システム及び無線通信方法に関する。
【手続補正３】
【補正対象書類名】明細書
【補正対象項目名】０００６
【補正方法】変更
【補正の内容】
【０００６】
本発明は上記のような実情に鑑みてなされたもので、その目的とするところは、複数の無線通信装置間で共有し得る画像データの秘匿性をより高めることが可能な画像表示装置、プログラム、無線通信システム及び無線通信方法を提供することにある。
【手続補正４】
【補正対象書類名】明細書
【補正対象項目名】０００７
【補正方法】変更
【補正の内容】
【０００７】
本発明の一態様は、無線ＬＡＮで接続された他の画像表示装置との間で通信を行なう無線接続手段と、近距離無線接続技術で接続された移動端末装置との間で通信を行なう近距離無線接続手段と、上記移動端末装置から受信した該移動端末装置に関連付けられている画像データを記憶する画像記憶手段と、上記記憶した移動端末装置に関連付けられている画像データに基づいて画像を表示する表示手段と、上記近距離無線接続手段により上記移動端末装置と無線接続された状態で、上記無線ＬＡＮにより上記他の画像表示装置へ上記移動端末装置に関連付けられている画像データを送信し、上記他の画像表示装置の画像記憶手段に記憶させる第１の記憶制御手段と、上記近距離無線接続手段により上記移動端末装置と無線接続された状態で、当該移動端末装置に関連付けられている画像データを上記無線ＬＡＮで接続された上記他の画像表示装置の画像記憶手段から読出し、上記表示手段により画像を表示させる表示制御手段と、他の画像表示装置に対して上記無線ＬＡＮにより上記移動端末装置に関連付けられている画像データを送信した後、上記画像記憶手段が記憶している、上記移動端末装置に関連付けられている画像データを削除する第２の記憶制御手段とを具備したことを特徴とする。
【手続補正５】
【補正対象書類名】明細書
【補正対象項目名】００１２
【補正方法】変更
【補正の内容】
【００１２】
さらに画像表示装置１０は、上記無線ＬＡＮ機能に加えて、当該無線ＬＡＮよりも大幅に通信距離に短い近距離無線通信方式、例えばＢｌｕｅｔｏｏｔｈ（登録商標）（以下「ブルートゥース」と称する）のクラス３に対応し、約１［ｍ］以内に同じ規格の電子機器が存在する場合に双方間で無線通信で各種データを送受できる。
【手続補正６】
【補正対象書類名】特許請求の範囲
【補正対象項目名】全文
【補正方法】変更
【補正の内容】
【特許請求の範囲】
【請求項１】
無線ＬＡＮで接続された他の画像表示装置との間で通信を行なう無線接続手段と、
近距離無線接続技術で接続された移動端末装置との間で通信を行なう近距離無線接続手段と、
上記移動端末装置から受信した該移動端末装置に関連付けた画像データを記憶する画像記憶手段と、
上記記憶した移動端末装置に関連付けた画像データに基づいて画像を表示する表示手段と、
上記近距離無線接続手段により上記移動端末装置と無線接続された状態で、上記無線ＬＡＮにより上記他の画像表示装置へ上記移動端末装置に関連付けた画像データを送信し、上記他の画像表示装置の画像記憶手段に記憶させる第１の記憶制御手段と、
上記近距離無線接続手段により上記移動端末装置と無線接続された状態で、当該移動端末装置に関連付けた画像データを上記無線ＬＡＮで接続された上記他の画像表示装置の画像記憶手段から読出し、上記表示手段により画像を表示させる表示制御手段と、
他の画像表示装置に対して上記無線ＬＡＮにより上記移動端末装置に関連付けた画像データを送信した後、上記画像記憶手段が記憶する、上記移動端末装置に関連付けた画像データを削除する第２の記憶制御手段と
を具備したことを特徴とする画像表示装置。
【請求項２】
上記第１の記憶制御手段は、上記無線ＬＡＮによるアドホック設定により画像表示装置間で直接上記移動端末装置に関連付けた画像データを送受信して上記画像記憶手段に記憶させることを特徴とする請求項１記載の画像表示装置。
【請求項３】
無線ＬＡＮで接続された他の画像表示装置との間で画像データの送受を行なう無線接続部、近距離無線接続技術で接続された他の移動端末装置から画像データを受信する近距離無線接続部、画像データを記憶する画像記憶部、及び上記画像記憶部が記憶する画像データに基づいて画像を表示する表示部を備えた画像表示装置が内蔵するコンピュータが実行するプログラムであって、
該コンピュータを、
上記近距離無線接続部により上記移動端末装置と無線接続された状態で、上記無線ＬＡＮにより上記他の画像表示装置から当該移動端末装置に関連付けた画像データを受信し、受信した移動端末装置に関連付けた画像データを上記画像記憶部に記憶させる第１の記憶制御手段、
上記近距離無線接続部により上記移動端末装置と無線接続された状態で、当該移動端末装置に関連付けた画像データを上記画像記憶部から読出し、上記表示部により画像を表示させる表示制御手段、及び
他の画像表示装置に対して上記無線ＬＡＮにより上記移動端末装置に関連付けた画像データを送信した後、上記画像記憶部が記憶している、上記移動端末装置に関連付けた画像データを削除する第２の記憶制御手段
として機能させることを特徴とする、コンピュータが読出して実行可能なプログラム。
【請求項４】
相対的に接続距離が長い第１の無線接続技術で相互間をアクセスポイントを介して接続する、画像データを記憶する画像記憶手段、及び上記画像記憶手段に記憶した画像データに基づいて画像を表示する表示手段をそれぞれ備えた、複数の画像表示装置と、相対的に接続距離が短い第２の無線接続技術で上記画像表示装置と接続される移動端末とを有する無線通信システムにおいて、
上記移動端末は、
撮像手段を備え、上記撮像手段で撮像した画像データを端末個体と関連付けた画像データとして記憶し、
上記画像表示装置は、
上記第２の無線接続技術で上記移動端末と無線接続された状態で、移動端末に関連付けた画像データを受信して上記画像記憶手段に記憶させる第１の記憶制御手段と、
上記第２の無線接続技術で上記移動端末と無線接続された状態で、当該移動端末装置に関連付けた画像データを上記画像記憶手段から読出し、読出した画像データに基づいて上記表示手段により画像を表示させる表示制御手段と、
他の画像表示装置に対して上記第１の無線接続技術により上記移動端末装置に関連付けた画像データを送信した後、上記記憶手段が記憶する上記移動端末装置に関連付けた画像データを削除する第２の記憶制御手段とを備える
ことを特徴とする無線通信システム。
【請求項５】
無線ＬＡＮにより他の画像表示装置と接続されると共に、近距離無線接続技術により移動端末と接続可能な画像表示装置の無線通信方法であって、
上記移動端末が通信圏内に入ったか否かを判断する第１の判断工程と、
上記第１の判断工程で通信圏内に入ったと判断した上記移動端末が記憶する所定のデータを受信する受信工程と、
上記受信工程で受信した所定のデータを記憶する記憶工程と、
上記記憶工程で記憶した所定のデータを表示する表示工程と、
上記移動端末が通信圏から外れ、且つ上記他の画像表示装置の通信圏内に入ったか否かを判断する第２の判断工程と、
上記第２の判断工程で上記移動端末が通信圏から外れ、且つ上記他の画像表示装置の通信圏内に入ったと判断した場合、上記記憶工程で記憶した所定のデータを上記移動端末が通信圏内に入った他の画像表示装置に送信する送信工程と、
上記送信工程での送信後、上記記憶工程で記憶した所定のデータを削除する削除工程と
を有したことを特徴とする無線通信方法。
【請求項６】
無線ＬＡＮによりアクセスポイントを介して他の画像表示装置と接続されると共に、近距離無線接続技術により移動端末と接続可能な画像表示装置の無線通信方法であって、
上記無線ＬＡＮで接続される複数の画像表示装置中、上記移動端末が最も近くに存在する画像表示装置となった状態で、上記移動端末から当該移動端末に関連付けた所定の画像を上記近距離無線接続技術で受信して記憶する受信工程と、
上記受信工程で記憶した上記所定の画像を表示する表示工程と、
上記近距離無線接続技術で接続される上記移動端末との信号強度レベルが予め設定したしきい値を維持しているか否かを判断する判断工程と、
判断工程での判断結果に応じて上記表示工程での画像の表示を抑制する表示抑制工程と、
上記移動端末の移動に伴って他の画像表示装置が最も近くに存在する画像表示装置となった際、その最も近くの存在となった他の画像表示装置に上記受信工程で記憶した上記所定の画像を無線ＬＡＮのアドホック設定により転送する転送工程と、
上記転送工程での転送処理後、上記受信工程で記憶した上記所定の画像を削除する削除工程と
を有したことを特徴とする無線通信方法。